(57)【要約】  【課題】  磁気カードに対応したカードシステムにおいて、カードインフラ切り替えの投資コストを低減し、最小限のソフト変更のみで、非接触ＩＣカードのデータと非接触ＩＣカードの状態を表す情報とを取違えることなく通信する。  【解決手段】  通信部２を介して行われた非接触ＩＣカード１７との通信結果に基づいて、非接触ＩＣカード１７の情報または非接触ＩＣカード１７の状態を表す情報を各々異なる様式あるいは異なるタイミングチャートでＩ／Ｆ部３を介して磁気カードリーダの出力信号と同様の仕様で出力する。端末５側は、Ｉ／Ｆ部６で受信したデータの様式やタイミングチャートを照合し、カードデータと判定したときには通常のカード処理を行い、非接触ＩＣカードの状態を表す情報と判定したときには、その内容に従い報知部７によりその情報をカード利用者やオペレータに報知する。【選択図】  図１
2006040098.tif 000002
【特許請求の範囲】
【請求項１】
無線により非接触型データキャリアと通信を行うための第１の通信部と、上位装置と通信を行うための第２の通信部と、前記第１の通信部を介して行われた前記非接触型データキャリアとの通信の結果に基づいて前記第１の通信部の通信可能範囲内に複数の非接触型データキャリアが存在するか否かを判断し、複数の非接触型データキャリアが存在すると判断した場合には複数の非接触型データキャリアが存在する旨の情報を磁気カード読取装置の通信仕様に倣いクロック信号とデータ信号を用いて前記第２の通信部から前記上位装置に送信する制御部とを備えた情報読取装置。
【請求項２】
複数の非接触型データキャリアが存在する旨の情報は、磁気カードの規格に定められた様式とは異なる様式とした情報である請求項１記載の情報読取装置。
【請求項３】
磁気カードの規格に定められた様式とは異なる様式とした情報は、スタートマークとエンドマークのいずれか一方あるいは両方のコードを規格とは異なるコードにした情報である請求項２記載の情報読取装置。
【請求項４】
第２の通信部から上位装置に送信されるデータ信号は、第１の通信部の通信可能範囲内に複数の非接触型データキャリアが存在することを表す識別情報を含む請求項１から３のいずれか１項に記載の情報読取装置。
【請求項５】
磁気カード読取部と、前記磁気カード読取部に磁気カードが存在するか否かを検知する磁気カード検知部と、無線により非接触型データキャリアと通信を行うための第１の通信部と、上位装置と通信を行うための第２の通信部と、前記第１の通信部を介して行われた前記非接触型データキャリアとの通信の結果に基づいて前記第１の通信部の通信可能範囲内に複数の非接触型データキャリアが存在するか否かを判断し、複数の非接触型データキャリアが存在すると判断した場合には複数の非接触型データキャリアが存在する旨の情報を磁気カード読取装置の通信仕様に倣いクロック信号とデータ信号を用いて前記第２の通信部から前記上位装置に送信する制御部とを備えた情報読取装置。
【請求項６】
複数の非接触型データキャリアが存在する旨の情報は、磁気カード操作時のタイミングチャートとは異なるタイミングとして制御部が疑似的に生成した磁気カード検知部の磁気カードを検知している旨の信号とクロック信号とデータ信号である請求項５記載の情報読取装置。
【請求項７】
無線により非接触型データキャリアと通信を行うための第１の通信部と、上位装置と通信を行うための第２の通信部と、前記第１の通信部を介して行われた前記非接触型データキャリアとの通信の結果に基づいて前記非接触型データキャリアが期待する仕様に合致しているか否かを判断し、前記非接触型データキャリアが期待する仕様に合致しないものであると判断した場合には、前記非接触型データキャリアが期待する仕様に合致しないものである旨の情報を磁気カード読取装置の通信仕様に倣いクロック信号とデータ信号を用いて前記第２の通信部から前記上位装置に送信する制御部とを備えた情報読取装置。
【請求項８】
磁気カード読取部と、前記磁気カード読取部に磁気カードが存在するか否かを検知する磁気カード検知部と、無線により非接触型データキャリアと通信を行うための第１の通信部と、上位装置と通信を行うための第２の通信部と、前記第１の通信部を介して行われた前記非接触型データキャリアとの通信の結果に基づいて前記非接触型データキャリアが期待する仕様に合致しているか否かを判断し、前記非接触型データキャリアが期待する仕様に合致しないものであると判断した場合には、前記非接触型データキャリアが期待する仕様に合致しないものである旨の情報を磁気カード読取装置の通信仕様に倣いクロック信号とデータ信号を用いて前記第２の通信部から前記上位装置に送信する制御部とを備えた情報読取装置。
【請求項９】
非接触型データキャリアが期待する仕様に合致しないものである旨の情報は、磁気カード操作時のタイミングチャートとは異なるタイミングとして制御部が疑似的に生成した磁気カード検知部の磁気カードを検知している旨の信号とクロック信号とデータ信号である請求項８記載の情報読取装置。
【請求項１０】
情報読取装置と前記情報読取装置から情報を受信する上位装置とからなる情報読取システムであって、前記情報読取装置は、無線により非接触型データキャリアと通信を行うための第１の通信部と、上位装置と通信を行うための第２の通信部と、前記第１の通信部を介して行われた前記非接触型データキャリアとの通信の結果に基づいて前記第１の通信部の通信可能範囲内に複数の非接触型データキャリアが存在するか否かを判断し、複数の非接触型データキャリアが存在すると判断した場合には、複数の非接触型データキャリアが存在する旨の情報を磁気カード読取装置の通信仕様に倣いクロック信号とデータ信号を用いて前記第２の通信部から前記上位装置に送信する第１の制御部とを備え、前記上位装置は、前記情報読取装置から送信された情報や読み取りデータを受信する受信部と、情報を報知する報知部と、前記情報読取装置から受信した情報を解析し、その情報が複数の非接触型データキャリアが存在することを示す情報である場合にその旨を前記報知部に報知させる第２の制御部とを備えた情報読取システム。
【請求項１１】
情報読取装置が上位装置に送信する複数の非接触型データキャリアが存在する旨の情報は、磁気カードの規格に定められた様式とは異なる様式とした情報である請求項１０記載の情報読取システム。
【請求項１２】
磁気カードの規格に定められた様式とは異なる様式とした情報は、スタートマークとエンドマークのいずれか一方あるいは両方のコードを規格とは異なるコードにした情報である請求項１１記載の情報読取システム。
【請求項１３】
情報読取装置が上位装置に送信するデータ信号は、第１の通信部の通信可能範囲内に複数の非接触型データキャリアが存在することを表す識別情報を含む請求項１０から１２のいずれか１項に記載の情報読取システム。
【請求項１４】
情報読取装置と前記情報読取装置から情報を受信する上位装置とからなる情報読取システムであって、前記情報読取装置は、磁気カード読取部と、前記磁気カード読取部に磁気カードが存在するか否かを検知する磁気カード検知部と、無線により非接触型データキャリアと通信を行うための第１の通信部と、上位装置と通信を行うための第２の通信部と、前記第１の通信部を介して行われた前記非接触型データキャリアとの通信の結果に基づいて前記第１の通信部の通信可能範囲内に複数の非接触型データキャリアが存在するか否かを判断し、複数の非接触型データキャリアが存在すると判断した場合には複数の非接触型データキャリアが存在する旨の情報を磁気カード読取装置の通信仕様に倣いクロック信号とデータ信号を用いて前記第２の通信部から前記上位装置に送信する第１の制御部とを備え、前記上位装置は、前記情報読取装置から送信された情報や読み取りデータを受信する受信部と、情報を報知する報知部と、前記情報読取装置から受信した情報を解析し、その情報が複数の非接触型データキャリアが存在することを示す情報である場合にその旨を前記報知部に報知させる第２の制御部とを備えた情報読取システム。
【請求項１５】
情報読取装置が上位装置に送信する複数の非接触型データキャリアが存在する旨の情報は、磁気カード操作時のタイミングチャートとは異なるタイミングとして制御部が疑似的に生成した磁気カード検知部の磁気カードを検知している旨の信号とクロック信号とデータ信号である請求項１４記載の情報読取システム。
【請求項１６】
情報読取装置と前記情報読取装置から情報を受信する上位装置とからなる情報読取システムであって、前記情報読取装置は、無線により非接触型データキャリアと通信を行うための第１の通信部と、上位装置と通信を行うための第２の通信部と、前記第１の通信部を介して行われた前記非接触型データキャリアとの通信の結果に基づいて前記非接触型データキャリアが期待する仕様に合致しているか否かを判断し、前記非接触型データキャリアが期待する仕様に合致しないものであると判断した場合には、前記非接触型データキャリアが期待する仕様に合致しないものである旨の情報を磁気カード読取装置の通信仕様に倣いクロック信号とデータ信号を用いて前記第２の通信部から前記上位装置に送信する第１の制御部とを備え、前記上位装置は、前記情報読取装置から送信された情報や読み取りデータを受信する受信部と、情報を報知する報知部と、前記情報読取装置から受信した情報を解析し、その情報が非接触型データキャリアが期待する仕様に合致していないことを示す情報である場合にその旨を前記報知部に報知させる第２の制御部とを備えた情報読取システム。
【請求項１７】
情報読取装置と前記情報読取装置から情報を受信する上位装置とからなる情報読取システムであって、前記情報読取装置は、磁気カード読取部と、前記磁気カード読取部に磁気カードが存在するか否かを検知する磁気カード検知部と、無線により非接触型データキャリアと通信を行うための第１の通信部と、上位装置と通信を行うための第２の通信部と、前記第１の通信部を介して行われた前記非接触型データキャリアとの通信の結果に基づいて前記非接触型データキャリアが期待する仕様に合致しているか否かを判断し、前記非接触型データキャリアが期待する仕様に合致しないものであると判断した場合には、前記非接触型データキャリアが期待する仕様に合致しないものである旨の情報を磁気カード読取装置の通信仕様に倣いクロック信号とデータ信号を用いて前記第２の通信部から前記上位装置に送信する第１の制御部とを備え、前記上位装置は、前記情報読取装置から送信された情報や読み取りデータを受信する受信部と、情報を報知する報知部と、前記情報読取装置から受信した情報を解析し、その情報が非接触型データキャリアが期待する仕様に合致していないことを示す情報である場合にその旨を前記報知部に報知させる第２の制御部とを備えた情報読取システム。
【請求項１８】
情報読取装置が上位装置に送信する複数の非接触型データキャリアが期待する仕様に合致していないことを示す情報は、磁気カード操作時のタイミングチャートとは異なるタイミングとして制御部が疑似的に生成した磁気カード検知部の磁気カードを検知している旨の信号とクロック信号とデータ信号である請求項１７記載の情報読取システム。
【請求項１９】
報知部は表示機能を有し、文字情報により報知を行う請求項１０から１８のいずれか１項に記載の情報読取システム。
【請求項２０】
報知部は音声機能を有し、音声情報により報知を行う請求項１０から１９のいずれか１項に記載の情報読取システム。
【請求項２１】
情報読取装置を上位装置に組み込んだ請求項１０から２０のいずれか１項に記載の情報読取システム。
【発明の詳細な説明】
【技術分野】
【０００１】
本発明は、磁気カードを対象としたインフラに対応する情報読取装置および情報読取システムに関するものである。
【背景技術】
【０００２】
近年、キャッシュカードやクレジットカード、あるいは定期券などの各種カードについて、従来の磁気カードからＩＣカードへの移行や導入が検討されている中、非接触型ＩＣカードが注目を集めている。この非接触型ＩＣカードは、読取装置にかざすだけで情報をやり取りすることができ、磁気カード等に比べて処理速度も速く、また、複数の対象に対して同時に読み取りが行えるといった衝突防止機構を備えるなど、操作性が良く利便性が高いという利点を有している。また、カードを搬送する機構が不要で、磁気ヘッドや接触端子による摩耗や接触不良などの心配がないため、導入した側もシステムの保守や管理コストを大幅に軽減することが可能となることから、さまざまな分野での利用拡大が期待されている。
【０００３】
しかし、非接触型ＩＣカードを使用したシステムは、一部では既に実用化も進み定着の段階に入っているが、これまでの磁気カードを対象として拡充されてきた既存の各種端末やネットワークなどのインフラを、非接触型ＩＣカード対応に切り替えるためには大規模な初期投資が必要となることから、現状ではまだそれほど普及は進んでいない。
【０００４】
このようなコストやインフラの未整備という壁を破り、現在の磁気カードを対象としたインフラからのシームレスな移行をはかることが、非接触型ＩＣカードの普及の鍵の一つとなる。このカードインフラのシームレスな移行に関するものとして、ＩＣカード読み取り書き込み装置に磁気カードのデータの通信仕様と同一にするための通信データ変換インターフェイスを持たせるものが知られている（例えば特許文献１参照）。
【０００５】
図１２は上記特許文献１に記載されたカード式自動販売機を示すものである。このカード式自動販売機に接続されるＩＣカード読み取り書き込み装置について、図１２を用いて説明する。
【０００６】
図１２において、１０１はカード式自動販売機であり、マスター制御部である主制御部１０２に制御バスライン１０８を介してコネクタ１０７が接続されている。コネクタ１０７には、磁気カードを処理するための磁気カード読み取り書き込み装置１０９が接続されるようになっており、主制御部１０２はコネクタ１０７を介して接続された通信インターフェイス１１０に対してポーリングをかけてデータの送受信やコマンドの送信を行いながら、自動販売機全体を統括している。
【０００７】
このカード式自動販売機１０１に対して、ＩＣカード読み取り書き込み装置１１１は通信インターフェイス１１２に対する通信データ変換インターフェイス１１３を設けており、ＩＣカードのデータはＩＣカード読み取り書き込み装置１１１により読み込まれ、通信インターフェイス１１２を通して通信データ変換インターフェイス１１３に送られ、ここでＩＣカードのデータを磁気カード読み取り書き込み装置１０９の通信インターフェイス１１０から送信されるデータと同様の通信仕様にデータ変換して主制御部１０２に送信する構成となっている。
【０００８】
かかる構成により、磁気カード読み取り書き込み装置用のインターフェイスを持つカード式自動販売機１０１に何も変更すること無しに、磁気カード読み取り書き込み装置１０９を接続するためのコネクタ１０７にＩＣカード読み取り書き込み装置１１１を接続することができ、ＩＣカードの利用が可能となる。
【特許文献１】特開平４−１９５３８０号公報（第２−３頁、第１図）
【発明の開示】
【発明が解決しようとする課題】
【０００９】
上記特許文献１に記載のものは、機器間インターフェイスとして一般的なシリアルポートを経由して双方向通信する場合について述べたものであるが、既設の磁気カードシステムに接続される磁気カードリーダの多くは、磁気ヘッドを通して再生された信号を復調回路によりクロック信号（データ判別タイミング信号）とデータ信号とに分離出力し、これらの信号を物理的な媒体の電気的インターフェイスやデータ転送のためのフレーム形式の変換などの加工をせずにそのまま上位装置へ送信するものであり、磁気カード上に記録されたデータのみを上位装置に転送する、いわゆる片方向通信にしか対応していない。
【００１０】
また、上記のＩＣカード読み取り書き込み装置の代わりに非接触ＩＣカード読み取り書き込み装置が接続される場合には、その非接触ＩＣカード読み取り書き込み装置は通信可能範囲内に在る非接触型ＩＣカードのデータを読み取り、そのデータを磁気カードリーダから出力される磁気データイメージ情報と同様の通信仕様にデータ変換して上位装置へ送信することになる。また、通信可能範囲内に複数の非接触型ＩＣカードが同時に存在していても、通常は衝突防止機構により特定キャリアを選択して正しく処理される。
【００１１】
しかし、キャッシュカードやクレジットカードなどの金融系カード、あるいは定期券などの交通系カード等の適用分野においては、利用者等の決済意志の正確な反映のため、通信可能範囲内に複数の非接触型ＩＣカードが同時に存在する場合や、非接触型ＩＣカードが期待する仕様に合致していない場合には、カード処理をせずに利用者等が適切に次の行動に移れるような報知を行うことが要求される。
【００１２】
しかしながら、従来の構成では、非接触型ＩＣカードから読み取ったデータを単に磁気データイメージ情報にデータ変換して上位装置に送信するだけであり、通信可能範囲内に複数の非接触型ＩＣカードが同時に存在する場合等の情報の扱いや処理手段は明示されていない。従って、前記のようなカード処理を行わない状態になった場合でも利用者等はそのことを知ることができず、また、このような利用者等に１つのカードのみを通信可能範囲内に位置させることや、仕様に合致していないカードを通信可能範囲内から除き、仕様に合致しているカードを通信可能範囲内に位置させること等の情報を利用者等に提供して利用者等に適切な次の行動を促すことができなかった。
【００１３】
本発明は、上記従来の課題に鑑み、カードインフラ対応の投資コストを大幅に低減しつつ、非接触型データキャリアから読み取ったデータのみならず、通信可能範囲内に在る非接触型データキャリアの状態などの情報をも送信することができる情報読取装置およびこれを用いた情報読取システムを提供することを目的とする。
【課題を解決するための手段】
【００１４】
上記目的を達成するために、本発明の情報読取装置は、無線により非接触型データキャリアと通信を行うための第１の通信部と、上位装置と通信を行うための第２の通信部と、前記第１の通信部を介して行われた前記非接触型データキャリアとの通信の結果に基づいて前記第１の通信部の通信可能範囲内に複数の非接触型データキャリアが存在するか否かを判断し、複数の非接触型データキャリアが存在すると判断した場合には複数の非接触型データキャリアが存在する旨の情報を磁気カード読取装置の通信仕様に倣いクロック信号とデータ信号を用いて前記第２の通信部から前記上位装置に送信する制御部とを備えたものである。
【００１５】
この構成によれば、磁気カード読取装置の通信仕様に倣いクロック信号とデータ信号を用いて、通信可能範囲内に複数の非接触型データキャリアが同時に存在する旨の情報を外部に送信することができる。
【００１６】
また、本発明の情報読取装置は、無線により非接触型データキャリアと通信を行うための第１の通信部と、上位装置と通信を行うための第２の通信部と、前記第１の通信部を介して行われた前記非接触型データキャリアとの通信の結果に基づいて前記非接触型データキャリアが期待する仕様に合致しているか否かを判断し、前記非接触型データキャリアが期待する仕様に合致しないものであると判断した場合には、前記非接触型データキャリアが期待する仕様に合致しないものである旨の情報を磁気カード読取装置の通信仕様に倣いクロック信号とデータ信号を用いて前記第２の通信部から前記上位装置に送信する制御部とを備えたものである。
【００１７】
この構成によれば、磁気カード読取装置の通信仕様に倣いクロック信号とデータ信号を用いて、非接触型データキャリアが期待する仕様に合致しないものである旨の情報を外部に送信することができる。
【００１８】
また、本発明の情報読取システムは、情報読取装置と前記情報読取装置から情報を受信する上位装置とからなる情報読取システムであって、前記情報読取装置は、無線により非接触型データキャリアと通信を行うための第１の通信部と、上位装置と通信を行うための第２の通信部と、前記第１の通信部を介して行われた前記非接触型データキャリアとの通信の結果に基づいて前記第１の通信部の通信可能範囲内に複数の非接触型データキャリアが存在するか否かを判断し、複数の非接触型データキャリアが存在すると判断した場合には、複数の非接触型データキャリアが存在する旨の情報を磁気カード読取装置の通信仕様に倣いクロック信号とデータ信号を用いて前記第２の通信部から前記上位装置に送信する第１の制御部とを備え、前記上位装置は、前記情報読取装置から送信された情報や読み取りデータを受信する受信部と、情報を報知する報知部と、前記情報読取装置から受信した情報を解析し、その情報が複数の非接触型データキャリアが存在することを示す情報である場合にその旨を前記報知部に報知させる第２の制御部とを備えたものである。
【００１９】
この構成によれば、情報読取装置は、磁気カード読取装置の通信仕様に倣いクロック信号とデータ信号を用いて、通信可能範囲内に複数の非接触型データキャリアが同時に存在する旨の情報を上位装置に送信することができ、上位装置は、情報読取装置から受信した情報を解析し、その情報が複数の非接触型データキャリアが存在することを示す情報である場合にその旨を報知部により報知することができる。
【００２０】
また、本発明の情報読取システムは、情報読取装置と前記情報読取装置から情報を受信する上位装置とからなる情報読取システムであって、前記情報読取装置は、無線により非接触型データキャリアと通信を行うための第１の通信部と、上位装置と通信を行うための第２の通信部と、前記第１の通信部を介して行われた前記非接触型データキャリアとの通信の結果に基づいて前記非接触型データキャリアが期待する仕様に合致しているか否かを判断し、前記非接触型データキャリアが期待する仕様に合致しないものであると判断した場合には、前記非接触型データキャリアが期待する仕様に合致しないものである旨の情報を磁気カード読取装置の通信仕様に倣いクロック信号とデータ信号を用いて前記第２の通信部から前記上位装置に送信する第１の制御部とを備え、前記上位装置は、前記情報読取装置から送信された情報や読み取りデータを受信する受信部と、情報を報知する報知部と、前記情報読取装置から受信した情報を解析し、その情報が非接触型データキャリアが期待する仕様に合致していないことを示す情報である場合にその旨を前記報知部に報知させる第２の制御部とを備えたものである。
【００２１】
この構成によれば、情報読取装置は、磁気カード読取装置の通信仕様に倣いクロック信号とデータ信号を用いて、非接触型データキャリアが期待する仕様に合致しないものである旨の情報を上位装置に送信することができ、上位装置は、情報読取装置から受信した情報を解析し、その情報が非接触型データキャリアが期待する仕様に合致しないものである旨の情報である場合にその旨を報知部により報知することができる。
【発明の効果】
【００２２】
以上のように本発明は、既設の磁気カードシステムを非接触型データキャリア対応に切り替える際のシステムの大幅な変更が不要で、インフラ対応の投資コストを大幅に低減することができると共に、情報読取装置から送信されるデータが非接触型データキャリアの読み取りデータか非接触型データキャリアの状態を表す情報かの区別を確実に行うことができ、必要に応じて利用者に報知することができるものである。
【発明を実施するための最良の形態】
【００２３】
（実施の形態１）
以下、本発明の実施の形態１について、図１から図７を用いて説明する。
【００２４】
図１において、１は非接触型データキャリアの一例としての非接触ＩＣカード１７に対応したカードリーダであり、このカードリーダ１は、無線により非接触ＩＣカード１７と通信を行う通信部２と、通信部２を介して読み取った情報を上位装置である端末５へ送るＩ／Ｆ（インターフェイス）部３と、ＣＰＵ（中央処理装置）４などから構成される。なお、通信部２は、変調器１１と、電力出力モジュール１２と、アンテナ１３と、帯域フィルタ１４と、増幅器１５および復調器１６などから構成されている。
【００２５】
ＣＰＵ４は、非接触ＩＣカード１７へのコマンドの発行や、非接触ＩＣカード１７から受信した情報のデータ変換および端末５への情報の送出など、カードリーダ１全体の制御を行うものである。また、変調器１１は、ＣＰＵ４が発行するコマンドを非接触ＩＣカード１７に伝送するために搬送周波数信号の変調を行う。そして、変調された信号は電力出力モジュール１２により、必要な電圧または電流にまで引き上げられ、アンテナ１３から出力される。帯域フィルタ１４は、電力出力モジュール１２からの強力な信号を遮断し、アンテナ１３で受信される非接触ＩＣカード１７からの微弱な応答信号のみをフィルタリングする。この非接触ＩＣカード１７からの応答は、帯域フィルタ１４に接続された増幅器１５を介して増幅され、復調器１６により信号のデコードが行われてＣＰＵ４へと伝えられる。また、Ｉ／Ｆ部３から出力されるクロック信号およびデータ信号である磁気データイメージ情報９は、カードリーダ１とのインターフェイスをなす端末５のＩ／Ｆ部６に送信されるようになっている。
【００２６】
なお、磁気データイメージ情報９は、非接触ＩＣカード１７から読み取ったデータをＣＰＵ４で磁気カードの規格と同様の様式（データフォーマット）にデータ変換したうえで、磁気カードリーダの再生回路の出力仕様と同様の仕様で端末５に送出されるが、後述するようにＣＰＵ４が通信部２の通信可能範囲内に複数の非接触ＩＣカード１７が存在することを検知した場合や非接触ＩＣカード１７が期待する仕様に合致していないことを認識した場合などには、その旨を示す情報として磁気カードの規格とは異なるデータフォーマットで端末５に送出される。
【００２７】
また、カードリーダ１に対する上位装置としての端末５は、カードリーダ１から与えられるクロック信号およびデータ信号である磁気データイメージ情報９を受け取るＩ／Ｆ部６と、カードリーダ１から与えられるＩ／Ｆ部６に入力された磁気データイメージ情報９が非接触ＩＣカード１７から読み取ったデータであるのか非接触ＩＣカード１７の状態を表す情報であるのかを判別し、非接触ＩＣカード１７の状態を示す情報であった場合にその旨を適宜報知部７に報知させる主制御部８とから構成される。この主制御部８は、端末５内の各部の動作を統括するものである。なお、端末５で行う前記判別や報知については後に説明する。
【００２８】
また、端末５はネットワークを介してセンタ等に設けられたサーバ１０と接続されている。
【００２９】
なお、この端末５の例としては、決済用カードを用いて決済処理を行う決済端末装置などがあり、図２に端末５の一例としての決済端末装置を示している。図２（ａ）は斜視図であり、図２（ｂ）は要部断面図である。この図２は、決済端末装置である端末５に磁気カード読取用の磁気カードリーダ２０が組み込まれた状態を示したものであり、磁気カードリーダ２０は図３に示すように、磁気カード１８の情報を読み取る磁気ヘッド２１と、磁気ヘッド２１で読み取った情報を処理して端末５へ送る再生回路２２などから構成される。なお、この再生回路２２は、磁気カード１８上の磁気ストライプ１９から磁気ヘッド２１を通して再生したアナログ信号をディジタル信号に変換して出力するものである。
【００３０】
そして、上記したカードリーダ１と端末５とにより情報読取システムが構成されている。なお、この情報読取システムは、カードリーダ１と端末５とが別体に存在したものであっても、カードリーダ１を端末５に組み込んで一体としたものであっても良い。また、端末５が決済端末装置である場合、端末５はＩ／Ｆ部６に入力されたカードデータに基づいて、ネットワークを介してサーバ１０へカード情報の与信照会や、売上げ処理などを行う。
【００３１】
以上のように構成された情報読取システムについて、図１から図７を用いてその動作を説明する。
【００３２】
まず、図２に示すような、磁気カード１８の情報を読み取る機能を備えた端末５の処理について説明する。なお、この端末５では、図１におけるカードリーダ１に代えて、図３に示した磁気カードリーダ２０を搭載したものとしている。
【００３３】
図２（ｂ）に示すように、端末５に設けられたカード走行案内溝２４の走行ガイド２３に沿って磁気カード１８を摺動すると、磁気カードリーダ２０に設けられた磁気ヘッド２１が磁気カード１８の磁気ストライプ１９に圧接され、磁気カード１８の磁気記録データが再生される。磁気ヘッド２１による再生波形は、再生回路２２によりクロック信号（データ判別タイミング信号）とデータ信号とに分離出力される。図４（ａ）は、このときの各部の信号例を示したものであり、図４（ｂ）はその一部分を拡大したタイミングチャートである。このように、磁気カード１８の読み取り機能を有する磁気カードリーダ２０で読み取られた磁気カード１８の情報は、磁気カード読取装置の通信仕様であるクロック信号とデータ信号として端末５に送信される。
【００３４】
次に、上記した磁気カードリーダ２０に代えて、端末５に、非接触ＩＣカード１７との通信機能を有した図１に示すカードリーダ１を搭載した場合の処理について説明する。
【００３５】
図１に示すカードリーダ１のＣＰＵ４は、非接触ＩＣカード１７への送信コマンドを随時発行し、アンテナ１３の交信領域内に非接触ＩＣカード１７が存在するかどうかを周期的に確認するようになっている。非接触ＩＣカード１７がアンテナ１３に近接されると、アンテナ１３は非接触ＩＣカード１７からの応答を受けてこの応答をＣＰＵ４に送信し、ＣＰＵ４は引き続き決められた通信手順に従って逐次的に非接触カード１７に対してコマンドを送信し、非接触ＩＣカード１７内の情報を読み書きする。そして、ＣＰＵ４は図４に示した磁気カードリーダ２０の再生回路２２の出力仕様と同様の仕様になるように、非接触ＩＣカード１７から受信した情報をクロック信号およびデータ信号として波形化し、具体的には、オール“０”、スタートマーク、データ、エンドマーク、ＬＲＣ（水平冗長検査文字）、オール“０”の順序にて出力する。そして、この波形化後のデータはＩ／Ｆ部３を介して端末５に送信される。
【００３６】
端末５の主制御部８が、後述するようにＩ／Ｆ部６に入力されたデータを非接触ＩＣカード１７のデータであると判断すると、端末５は受信したカードデータに基づいて、従来の磁気カードを対象としたカードシステムの場合と同様に、ネットワークを介してサーバ１０へカード情報の与信照会や、売上げ処理などを行うことが可能となる。なお、Ｉ／Ｆ部６に入力される非接触カード１７のデータは、磁気カード１８のデータフォーマットと同様になるようにしてあるので、既設の磁気カードシステムのネットワーク環境がそのまま利用でき、非接触ＩＣカード１７を利用するための特別なネットワークの変更は不要となる。
【００３７】
次に、アンテナ１３の交信領域内に複数の非接触ＩＣカード１７が同時に入れられた場合について説明する。
【００３８】
なお、ここではビット符号化の一例として、ビットウィンドウ内のレベルの変化（立下りエッジまたは立ち上がりエッジ）によりビットの値が定義される符号化方式が使用されるものとする。この方式では、ビットウィンドウ内に「変化なし」の状態がある場合にはエラーとして認識される。
【００３９】
図５に示すように、アンテナ１３の交信領域内に２つの非接触ＩＣカード１７が同時に入れられると、ＣＰＵ４からの送信コマンドを受けて２つの非接触ＩＣカード１７が同時に応答するため、それぞれの非接触ＩＣカード１７が異なるビット値を送信した場合、カードリーダ１の増幅器１５から出力される信号は、２つの信号が衝突して重なった状態になる。そして、受信されるべきビットの負への変化と正への変化が互いに相殺され、復調器１６の出力においてビットウィンドウ内に「変化なし」の状態が発生する。これにより、ＣＰＵ４はアンテナ１３の交信領域内に複数の非接触ＩＣカード１７が存在することを認識することができる。
【００４０】
なお、衝突防止アルゴリズムの反復により、アンテナ１３の交信領域内に在る個々の非接触ＩＣカード１７が保有する固有な製造番号（ＩＤ）等を識別することで、複数の非接触ＩＣカード１７が存在するかどうかを認識することも可能である。
【００４１】
次に、非接触型ＩＣカード１７が期待する仕様に合致していない場合の一例として、アンテナ１３の交信領域内に他の種類の非接触ＩＣカード１７が入れられた場合について説明する。
【００４２】
一般的に、認証されていないカードリーダからのデータの読み取りおよび／または書き込みは障害を発生させる可能性があるため、非接触ＩＣカード１７への認証されていないアクセスは何らかの方法でプロテクトされる。なお、ここではプロテクトの一例として、秘密鍵を用いた認証手順が使用されるものとする。
【００４３】
アンテナ１３の交信領域内に非接触ＩＣカード１７が入れられると、最初にカードリーダ１と非接触ＩＣカード１７との間で通信関係が築かれる。この後、ＣＰＵ４から非接触ＩＣカード１７に認証開始のコマンドが送出される。非接触ＩＣカード１７は、このコマンドを受信すると乱数Ａを発生して応答信号に含めてカードリーダ１に返信する。
【００４４】
次に、非接触ＩＣカード１７から前記応答信号を受信したカードリーダ１のＣＰＵ４は、乱数Ｂを発生させて共通鍵と共通鍵アルゴリズムを使用して暗号化したデータブロックを生成し、このデータブロックを非接触ＩＣカード１７に送出する。なお、このデータブロックには２つの乱数（乱数Ａと乱数Ｂ）が含まれる。カードリーダ１から前記データブロックを受信した非接触ＩＣカード１７は、このデータブロックを復号してデータブロック中に含まれる乱数Ａを取り出し、自身が送った乱数Ａと比較する。それらが同じものであった場合、非接触ＩＣカード１７は両者の共通鍵が同じであることを認識する。
【００４５】
次に、非接触ＩＣカード１７は別の乱数Ｃを発生させ、これと先に受信したデータブロック中に含まれていた乱数Ｂを付加して暗号化したデータブロックを生成し、このデータブロックをカードリーダ１に返信する。非接触ＩＣカード１７から前記データブロックを受信したカードリーダ１のＣＰＵ４は、このデータブロックを復号してデータブロック中に含まれる乱数Ｂを取り出し、自身が送った乱数Ｂと比較する。それらが同じものであった場合、ＣＰＵ４は両者の共通鍵が同じであることが立証されたことを認識する。このようにして、カードリーダ１と非接触ＩＣカード１７は同じアプリケーションに属することを知ることができ、以後、カードリーダ１は非接触ＩＣカード１７へのアクセスが可能になる。
【００４６】
ところが、他の種類の非接触ＩＣカード１７の場合には、復号したデータブロック中に含まれる乱数Ｂと自身が送った乱数Ｂとが異なるものになるため、このときＣＰＵ４は非接触ＩＣカード１７が期待する仕様に合致していないことを認識することができる。
【００４７】
また、認識するための別の方法として、必須とするコマンドを非接触ＩＣカード１７が対応していない場合（このとき、そのコマンドに対して無応答となる）や、コマンドに対する非接触ＩＣカード１７の応答が期待した結果と異なる場合、あるいは非接触ＩＣカード１７内のアプリケーションデータ中に必要な情報が格納されていない等の場合にも、期待する仕様に合致していないと認識される。
【００４８】
次に、非接触ＩＣカード１７が正しく処理されたとき、アンテナ１３の交信領域内に複数の非接触ＩＣカード１７が存在することを認識したとき、アンテナ１３の交信領域内に存在する非接触ＩＣカード１７が期待する仕様に合致していないことを認識したとき、の各々の場合のリーダライタ１から端末５に送信される磁気データイメージ情報９のデータフォーマットの例と、端末５にてそれらの情報を解析する場合について説明する。
【００４９】
図６は、非接触ＩＣカード１７との通信の結果に基づいて、カードリーダ１のＩ／Ｆ部３から端末５に出力される磁気データイメージ情報９のデータフォーマットの一例を示したものであり、それぞれ、図６（ａ）は非接触ＩＣカード１７が正しく処理されたとき、図６（ｂ）はアンテナ１３の交信領域内に複数の非接触ＩＣカード１７が存在することを認識したとき、図６（ｃ）は非接触ＩＣカード１７が期待する仕様に合致していないことを認識したときのものである。
【００５０】
なお、ここでは、ＩＤカードの国際規格で定められた記録仕様のうち、トラック１のデータフォーマットで磁気データイメージ情報９が送信されるものとしている。トラック１において、スタートマークの次の桁はフォーマットコードとして割り当てられており、英字で“Ａ”から“Ｚ”までの値をとることになっている。
【００５１】
ここで、図６（ｂ）および図６（ｃ）に示すように、通信可能範囲内に在る非接触ＩＣカード１７の状態を表す情報の場合には、磁気データイメージ情報９を生成するＣＰＵ４にて、フォーマットコードを英字以外の文字（例えば“＃”など）にすることで、図６（ａ）に示すような非接触ＩＣカード１７のデータと区別することができる。また、フォーマットコードの次の文字で、情報が示す内容を識別できるようにすることも可能である。例えば、通信可能範囲内に複数の非接触ＩＣカード１７が存在する場合には、識別情報としてフォーマットコードの次の文字を“２”とし、非接触ＩＣカード１７が期待する仕様に合致していない場合には、識別情報としてフォーマットコードの次の文字を“１”としてカードリーダ１から端末５に送信する。そして、端末５には、予め、図示しない記憶部に、フォーマットコードの次の文字が“１”である場合には非接触ＩＣカード１７が期待する仕様に合致していないことを意味する情報であることを、フォーマットコードの次の文字が“２”である場合には通信可能範囲内に複数の非接触ＩＣカード１７が存在することを意味する情報であることを記憶させておく。そして、端末５の主制御部８がカードリーダ１から送信されてきた情報を解析し、この解析した情報と前記記憶部に記憶している情報とから、カードリーダ１から送られてきた情報が示す内容を識別することが可能となる。
【００５２】
なお、磁気データイメージ情報９を磁気カード１８の規格とは異なるデータフォーマットにする際の好ましい態様としては、例えば、スタートマークのコードを規格に定められたコードとは異なる別のコードにすることが考えられる。正規の磁気カードイメージ情報９の場合、スタートマークはパリテイビットも含めて４５ｈ（１６進数表記）で表されるが、これを７Ｆｈなどにすることにより、会員カードなど限られたエリアで使用されるハウスカードなどと偶然にデータフォーマットが一致してしまう可能性を大幅に低減することができる。
【００５３】
なお、スタートマークの代わりにエンドマークのコードを磁気カードの規格に定められたコードとは異なる別のコードに換えたり、スタートマークおよびエンドマークの両方を同時に別のコードに換えたりしても良い。また、ＬＲＣ（水平冗長検査文字）の計算アルゴリズムを替えるなどという方法を採っても良い。
【００５４】
また、アンテナ１３の交信領域内に複数の非接触ＩＣカード１７が存在する場合の磁気データイメージ情報９と、非接触ＩＣカード１７が期待する仕様に合致しない場合の磁気データイメージ情報９を、同じデータフォーマットにしているが、それぞれ異なるデータフォーマットにしても良い。また、文字数は５文字に限るものでなく、磁気カード１８の規格を超えるものであっても良い。
【００５５】
次に、Ｉ／Ｆ部３から出力される磁気データイメージ情報９を端末５が受け取ったときの処理について図７を用いて説明する。
【００５６】
なお、端末５には、予め磁気データに関するフォーマットと、非接触ＩＣカード１７の状態を表す情報に関するデータフォーマットとを情報として上記した図示しない記憶部に記憶させておき、端末５の主制御部８が、前述の予め与えられたフォーマットとＩ／Ｆ部６に入力されたクロック信号およびデータ信号である磁気データイメージ情報９のフォーマットとを比較することにより、Ｉ／Ｆ部６に入力された磁気データイメージ９がどちらの情報なのかを識別することができるようになっている。また、この識別した結果に基づいて、端末５の報知部７により利用者や操作者などに非接触ＩＣカード１７との通信の状態を報知するようになっており、この報知部７の例としては、視覚的にメッセージを表示するＬＣＤなどの表示デバイスがある。
【００５７】
以下、非接触ＩＣカード１７との通信の状態等を報知する例について、図７を用いて説明する。
【００５８】
端末５の主制御部８は、カード処理が許可されている間、Ｉ／Ｆ部６に入力があるかどうかを確認する。（ステップＳ１）
入力があることを検知した場合には、その入力が完全に終わるまで待ってから受信データのフォーマットの照合を行い（ステップＳ２およびステップＳ３）、受信データが図６（ａ）に示す正規な磁気データのデータフォーマットと一致していれば、端末５の報知部７である表示デバイスに処理中であることを報知するメッセージを表示して（ステップＳ６）、カード情報の与信照会や売上げ処理など行う。（ステップＳ１０）
一方、Ｉ／Ｆ部６で受信したデータが、非接触ＩＣカード１７の状態を表す情報であると判断した場合には、さらにその詳細な内容を解析して（ステップＳ４およびステップＳ５）、図６（ｂ）に示すデータフォーマットと一致した場合には、表示デバイスに、通信可能範囲内に複数の非接触ＩＣカード１７が在る旨のメッセージを表示して利用者等に報知を行う（ステップＳ７）。また、Ｉ／Ｆ部６で受信したデータが、図６（ｃ）に示すデータフォーマットと一致した場合には、表示デバイスに、非接触ＩＣカード１７が使えない旨のメッセージを表示して利用者等に報知を行う（ステップＳ８）。
【００５９】
なお、いずれのデータフォーマットにも一致しなかった場合には、表示デバイスに、再度カード操作を促すメッセージを表示して利用者等に報知を行う（ステップＳ９）。
【００６０】
このように、非接触ＩＣカード１７の読み取り状況に応じた報知を行うことにより、非接触ＩＣカード１７の利用者や操作者などは、非接触ＩＣカード１７との通信に関する現在の状況を確実に知ることができ、例えば、非接触ＩＣカード１７が使えない旨のメッセージの報知を受けた場合には、使えないカードを取り除いたり、正しいカードに差し替えたりといった適切な行動をとることができる。
【００６１】
なお、報知部７はＬＥＤなどのランプが点灯するものであっても良いし、音やメロディなど聴覚的に伝えるものであっても良い。
【００６２】
なお、本実施の形態では、カードリーダ１は非接触ＩＣカード１７のみに対応した例を示しているが、その他の非接触型データキャリアに対応したもの、あるいは磁気カードや接触ＩＣカードなど複数のカードに対応したものであっても良いことは言うまでもない。
【００６３】
また、本実施の形態では、カードリーダ１は端末５に組み込まれた例を示しているが、これに限るものではなく、カードリーダ１と端末５とが別個に存在し、カードリーダ１が端末５の外部機器として接続されるものであっても良い。この場合、カードリーダ１にも報知部を設け、カードリーダ１からも報知を行うようにしてもよい。あるいは、端末５とカードリーダ１のどちらかに報知部を設け、どちらかのみから報知を行うようにしても良い。
【００６４】
また、本実施の形態では、通信可能範囲内に在る非接触型データキャリア１７の状態を、アンテナ１３の交信領域内に複数の非接触ＩＣカード１７が存在するか、あるいは非接触ＩＣカード１７が期待する仕様に合致していないか、の２つにしか区別していないが、さらに詳細に区別し、その旨の情報を端末５に送信するようにしても良い。また、通信可能範囲内に非接触ＩＣカード１７が１つも無いなどといった上記以外の情報を端末５に送信し、それらの情報を端末５により報知するようにしても良い。
【００６５】
（実施の形態２）
図８は、本実施の形態における情報読取システムの概略構成を示すブロック図である。
【００６６】
本実施の形態において、実施の形態１と同様の箇所については同一の符号を付して詳細な説明を省略する。実施の形態１と異なるのは、カードリーダ１が磁気カード１８および非接触ＩＣカード１７の両方の処理に対応した複合型のカードリーダであるという点と、カード検出センサ２６の出力信号も併せてカードリーダ１のＩ／Ｆ部３から端末５に出力される点である。
【００６７】
なお、カードリーダ１のＩ／Ｆ部３は、ＣＰＵ４からの図示していない制御信号に基づいて、磁気ヘッド２１で読み取った情報を端末５に出力するのか、アンテナ１３で受信した情報に基づいた情報を端末５に出力するのかを切り替える信号セレクタとしても機能するものである。そして、通常は磁気ヘッド２１で読み取った情報とカード検出センサ２６の出力信号とを端末５に出力する状態になっているが、ＣＰＵ４がアンテナ１３を介して非接触ＩＣカード１７から情報を受け取り、ＣＰＵ４から非接触ＩＣカード１７との通信の結果を端末５に出力する旨の信号をＩ／Ｆ部３が受信した場合には、ＣＰＵ４が生成する、カード検出センサ２６の出力信号に似せた擬似的なカード検出センサの信号およびクロック信号とデータ信号である磁気データイメージ情報９とを端末５に出力するように切り替える。
【００６８】
なお、このカード検出センサ２６が搭載されるカードリーダの例としては、スロットタイプのカードリーダなどがある。図９は、このスロットタイプのカードリーダの構造を示した概略図であり、図９（ａ）は磁気カード１８が挿入される前の状態を示しており、図９（ｂ）は磁気カード１８が完全に挿入された状態を示している。なお、カード検出センサ２６は、図９には図示されていないが、カード収納箱２５に磁気カード１８が完全に挿入されているかどうかを検知できるように、カード収納箱２５の奥側に配設されている。そして、このカード検出センサ２６は、一例として、光を発光する発光部とこの発光部が発光した光を受光する受光部とからなり、磁気カード１８が完全に挿入された場合に発光部が発光した光がこの磁気カード１８により遮られ、受光部が光を受光できなくなった場合に磁気カード１８が完全に挿入されたことを検出するものである。
【００６９】
図１０は、このカードリーダ１のカード収納箱２５に磁気カード１８を挿入して引き抜くという一連の操作で出力される各部の信号を示したものである。なお、クロック信号とデータ信号は、カードリーダ１に取り付けられた磁気ヘッド２１と磁気カード１８の磁気ストライプ１９とが圧接された状態で摺動するときに出力される信号であるため、磁気カード１８が挿入および引き抜かれるといった磁気カード１８が移動している間は出力されるが、磁気カード１８が完全に挿入されている（停止している）ことを示すカード検出センサ２６の出力信号がアクティブ（Ｈｉｇｈ区間）の間は出力されない。
【００７０】
図１１は、非接触ＩＣカード１７との通信の結果に基づいてカードリーダ１のＣＰＵ４で生成され、カードリーダ１のＩ／Ｆ部３から端末５へ出力される信号を示すものであり、図１１（ａ）は正しく読み取りが行われた非接触ＩＣカード１７のデータを出力するときの信号の一例を示し、図１１（ｂ）は異常状態である非接触ＩＣカード１７の状態を表す情報を出力するときの信号の一例を示したものである。磁気カード１８の読み取りは、カード収納箱２５にカードを完全に挿入した状態から引き抜くときに行われるため、磁気カードの通信仕様と同様にした非接触ＩＣカード１７のデータは、このカード引き抜き時の信号波形を模擬している。すなわち、図１１（ａ）に示すように、カード検出センサ２６の出力信号であるセンサ信号がノンアクティブ（Ｌｏｗ区間）の間にクロック信号およびデータ信号が出力される。
【００７１】
一方、非接触ＩＣカード１７との通信の状態を表す情報を出力する際のタイミングチャートについては、前述の非接触ＩＣカード１７のデータを出力する場合と完全に切り分けができるように、磁気カードを操作したときには発生し得ないタイミング、すなわち、図１１（ｂ）に示すようにカード検出センサ２６の出力信号であるセンサ信号がアクティブ（Ｈｉｇｈ区間）の間にクロック信号およびデータ信号を出力するものとしている。
【００７２】
なお、端末５には予め非接触ＩＣカード１７のデータを送信する場合のタイミングチャートと、非接触ＩＣカード１７の状態を表す情報を送信する場合のタイミングチャートとを情報として与えておき、端末５の主制御部８は前述の予め与えられたタイミングチャートとＩ／Ｆ部６に入力された各信号のタイミングチャートとを比較することにより、Ｉ／Ｆ部６に入力された磁気データイメージ情報９がどちらの情報なのかを識別することができるようになっており、異常を示す場合には、その旨を報知部７により操作者等に報知するものである。
【００７３】
なお、正常に読み取られた非接触ＩＣカード１７のデータを出力する場合のタイミングチャートについては、カード引き抜き時の信号波形を模擬する例について示したが、カード挿入時の信号波形を模擬するようにしても良いし、挿入時と引き抜き時の両方の信号波形を模擬するようにしても良い。
【００７４】
また、非接触ＩＣカード１７の状態を表す情報については、実施の形態１と同様に非接触ＩＣカード１７のデータのフォーマットと異なるものにしても良い。
【００７５】
なお、本実施の形態では、カードリーダ１が磁気カード１８および非接触ＩＣカード１７の両方に対応している例について説明したが、非接触ＩＣカード１７のみに対応したもの、あるいはその他のデータキャリアに対応したものであっても良い。
【００７６】
以上のように本実施の形態によれば、カードリーダ１と端末５の接続に関して、端末５側はクロック信号とデータ信号とを用いた従来の磁気カードリーダとのインターフェイス回路からの変更が不要であり、かつ通信可能範囲内に複数の非接触ＩＣカード１７が存在するなどといったカードデータ以外の情報をも受け取ることができるため、非接触ＩＣカード対応へのインフラ切り替えに伴う障害もなく、同時にインフラ対応の投資コストも抑えることができる。
【００７７】
また、実施の形態１と同様に、ＣＰＵ４で生成しＩ／Ｆ部３から端末５に出力される非接触ＩＣカード１７のデータや情報の通信仕様を磁気カード１８のデータの通信仕様と同様とすることで、端末５側はプログラムの追加など最小限のソフト変更のみで非接触ＩＣカード１７の適用を可能にしており、端末５側への影響を最小限に抑えることができる。
【産業上の利用可能性】
【００７８】
本発明の情報読取装置および情報読取システムは、既設の磁気カードシステムを非接触ＩＣカード対応にする際に、システムの大幅な変更が不要となりインフラ切り替えの投資コストを大幅に低減することができると共に、非接触ＩＣカードのデータあるいは非接触ＩＣカードの状態を表す情報を通信することができ、磁気カードを対象とした既存のインフラに対応する情報読取装置および情報読取システムのアップグレードなどに有用である。
【図面の簡単な説明】
【００７９】
【図１】本発明の実施の形態１における情報読取システムの概略構成を示す図
【図２】（ａ）磁気カードリーダを備えた端末の一例を示す図、（ｂ）磁気カードリーダを備えた端末の要部を切り欠いた図
【図３】同磁気カードリーダの概略構成を示す図
【図４】（ａ）磁気カードリーダの各部の信号例を示す図、（ｂ）磁気カードリーダの各部の信号例の一部分を拡大したタイミングチャート
【図５】非接触ＩＣカードとの通信において衝突が起こったときの信号の一例を示す図
【図６】（ａ）正規な磁気データイメージ情報の例を示す図、（ｂ）複数の非接触ＩＣカードが同時に存在する場合に送出する磁気データイメージ情報の例を示す図、（ｃ）非接触ＩＣカードが期待する仕様に合致していない場合に送出する磁気データイメージ情報の例を示す図
【図７】端末におけるカード処理を概略的に示したフローチャート
【図８】本発明の実施の形態２における情報読取システムの概略構成を示す図
【図９】（ａ）磁気カードが挿入される前のカードリーダを示す図、（ｂ）磁気カードが完全に挿入されたカードリーダを示す図
【図１０】磁気カードを操作したときに出力される信号の一例を示す図
【図１１】（ａ）正しく読み取りが行われた非接触ＩＣカードのデータを出力するときの信号の一例を示す図、（ｂ）異常状態である非接触ＩＣカードの状態を表す情報を出力するときの信号の一例を示す図
【図１２】従来のＩＣカード読み取り書き込み装置が接続されるカード式自動販売機の概略構成を示す図
【符号の説明】
【００８０】
１  カードリーダ
２  通信部
３  Ｉ／Ｆ部
４  ＣＰＵ（中央処理装置）
５  端末
６  Ｉ／Ｆ部
７  報知部
８  主制御部
９  磁気データイメージ情報
１０  サーバ
１１  変調器
１２  電力出力モジュール
１３  アンテナ
１４  帯域フィルタ
１５  増幅器
１６  復調器
１７  非接触ＩＣカード
１８  磁気カード
１９  磁気ストライプ
２０  磁気カードリーダ
２１  磁気ヘッド
２２  再生回路
２３  走行ガイド
２４  カード走行案内溝
２５  カード収納箱
２６  カード検出センサ
１０１  カード式自動販売機
１０２  主制御部
１０３  表示制御部
１０４  商品搬送部
１０５  硬貨計数制御部
１０６  キー入力制御部
１０７  コネクタ
１０８  制御バスライン
１０９  磁気カード読み取り書き込み装置
１１０  通信インターフェイス
１１１  ＩＣカード読み取り書き込み装置
１１２  通信インターフェイス
１１３  通信データ変換インターフェイス
【図１】
2006040098.tif 000003
【図２】
2006040098.tif 000004
【図３】
2006040098.tif 000005
【図４】
2006040098.tif 000006
【図５】
2006040098.tif 000007
【図６】
2006040098.tif 000008
【図７】
2006040098.tif 000009
【図８】
2006040098.tif 000010
【図９】
2006040098.tif 000011
【図１０】
2006040098.tif 000012
【図１１】
2006040098.tif 000013
【図１２】
2006040098.tif 000014